(57)【特許請求の範囲】
【請求項１】
対向する側部を有する第一レールと、
前記対向する側部の内側又は外側に向けて固定される複数のフリーボールベアリングと、
前記複数のフリーボールベアリングに移動自在に支持される第二レールと、
を具備し、
前記第二レールは、
前記複数のフリーボールベアリングと対向する第二レールの側部に断面視Ｖ字状又は半円状の凹みからなる案内溝が移動方向に向けて形成され、前記複数のフリーボールベアリングが前記案内溝に係合されるスライドレール。
【請求項２】
前記複数のフリーボールベアリングは、
前記第一レールの側部との間にシムが挿入可能に設けられ、前記第一レールの側部に垂直な方向の固定位置をそれぞれ任意に調整可能に構成される請求項１に記載のスライドレール。
【請求項３】
前記第一レール又は前記第二レールのうちどちらか一方は、
表示装置の基部に立設され、
前記第一レール又は前記第二レールのうちどちらか他方は、
情報を表示する表示部が固設され、
前記表示装置の前記表示部を移動可能とする支柱を構成する請求項１又は請項２に記載のスライドレール。
【発明の詳細な説明】
【技術分野】
【０００１】
本発明は、スライドレールに関する。
【背景技術】
【０００２】
従来、重量物等を円滑に移動させるために、固定側部材と移動側部材との間に複数のボールを介在させることで移動側部材を移動させる際の摩擦抵抗を小さくしたスライドレールが知られている。例えば特許文献１の如くである。
【０００３】
特許文献１に記載のスライドレールは、固定側部材である第一レールと可動側部材である第二レールと、保持部材によって整列保持された複数のボールとから構成される。第一レールには、保持部材によって転動自在に整列保持されたボールが配置されるとともに、ボールを介して第二レールが配置される。つまり、スライドレールは、第一レールと第二レールとの間でボールが転動可能に構成される。これにより、スライドレールは、ボールが第一レール上を移動するとともに、第二レールがボール上を移動することで第二レールを円滑に移動させることができる。
【先行技術文献】
【特許文献】
【０００４】
【特許文献１】特開２００５−１３３２８６号公報
【発明の概要】
【発明が解決しようとする課題】
【０００５】
しかし、特許文献１に記載の技術では、第一レール及び第二レールと保持部材とが接触しないよう、保持部材が複数のボールを一体的に整列保持して保持部材の姿勢を維持する必要がある。このため、スライドレールは、複数のボールと各レールとの隙間の調整をボール毎に行うことができない。また、複数のボールを整列保持する保持部材は、第一レールと第二レールとの間に囲まれるようにして配置されているため、第二レールを外さなければ第一レール及び第二レールとボールとの隙間の調整を行うことができない。このため、スライドレールの組み立て及び調整が煩雑になる問題があった。
【０００６】
本発明は係る課題を鑑みてなされたものであり、組み立て及び調整を容易に行うことができるスライドレールの提供を目的とする。
【課題を解決するための手段】
【０００７】
本発明の解決しようとする課題は以上の如くであり、次にこの課題を解決するための手段を説明する。
【０００８】
即ち、請求項１においては、対向する側部を有する第一レールと、前記対向する側部の内側又は外側に向けて固定される複数のフリーボールベアリングと、前記複数のフリーボールベアリングに移動自在に支持される第二レールと、を具備し、前記第二レールは、前記複数のフリーボールベアリングと対向する第二レールの側部に断面視Ｖ字状又は半円状の凹みからなる案内溝が移動方向に向けて形成され、前記複数のフリーボールベアリングが前記案内溝に係合されるものである。
【０００９】
請求項２においては、前記複数のフリーボールベアリングは、前記第一レールの側部との間にシムが挿入可能に設けられ、前記第一レールの側部に垂直な方向の固定位置をそれぞれ任意に調整可能に構成されるものである。
【００１０】
請求項３においては、前記第一レール又は前記第二レールのうちどちらか一方は、表示装置の基部に立設され、前記第一レール又は前記第二レールのうちどちらか他方は、情報を表示する表示部が固設され、前記表示装置の前記表示部を移動可能とする支柱を構成するものである。
【発明の効果】
【００１１】
本発明の効果として、以下に示すような効果を奏する。
【００１２】
請求項１においては、複数のフリーボールベアリングがそれぞれ独立して第一レールに固定されているので、フリーボールベアリングと第二レールとの位置関係（隙間）の調整をフリーボールベアリング毎に行うことができる。また、一のフリーボールベアリングと第二レールとの位置関係を調整しても他のフリーボールベアリングと第二レールとの位置関係に及ぼす影響が少ない。したがって、組み立て及び調整を容易に行うことができる。
【００１３】
請求項２においては、複数のフリーボールベアリングと第二レールとの位置関係にばらつきがあっても、フリーボールベアリング毎に位置関係を調整することができる。したがって、組み立て及び調整を容易に行うことができる。
【００１４】
請求項３においては、第二レールに形成される案内溝にフリーボールベアリングを係合させるだけで第二レールが移動方向のみに移動自在に支持される。したがって、組み立て及び調整を容易に行うことができる。
【００１５】
請求項４においては、表示部を支持する支柱をスライドレールで構成することで表示部を円滑に移動させることができる。したがって、表示装置の組み立て及び調整を容易に行うことができる。
【図面の簡単な説明】
【００１６】
【図１】本発明の一実施形態に係る表示装置の全体的な構成を示す前方向からの斜視図。
【図２】本発明の一実施形態に係る表示装置の全体的な構成を示す後方向からの斜視図。
【図３】本発明の一実施形態に係る表示装置のスライドレールにおける第一レールにフリーボールベアリングを組み付ける手順を示す斜視図。
【図４】本発明の一実施形態に係る表示装置のスライドレールにおける第一レールに第二レールを組み付ける手順を示す斜視図。
【図５】本発明の一実施形態に係る表示装置のスライドレールの構成を示す上側面図。
【図６】本発明の他の実施形態に係る表示装置のスライドレールの構成を示す上側面図。
【図７】本発明の一実施形態に係る表示装置の昇降操作を示す斜視図。
【図８】（ａ）本発明の一実施形態に係る表示装置のスライドレールにおいてフリーボールベアリングと第二レールとの間に隙間が生じている状態を示す上側面図。（ｂ）本発明の一実施形態に係る表示装置のスライドレールにおいてフリーボールベアリングの前側部に垂直な方向の固定位置を調整した状態を示す上側面図。
【図９】（ａ）本発明の一実施形態に係る表示装置のスライドレールにおいて第二レールを与圧していない状態を示す上側面図。（ｂ）本発明の一実施形態に係る表示装置のスライドレールにおいてフリーボールベアリングの前側部に垂直な方向の固定位置を調整して与圧した状態を示す上側面図。
【発明を実施するための形態】
【００１７】
まず、図１から図５を用いて、本発明の一実施形態に係る表示装置１について説明する。なお、以下では矢印Ａ方向を前方向とし、矢印Ｂ方向を上方向と規定する。
【００１８】
図１に示すように、表示装置１は、情報を表示して伝達するためのものである。表示装置１は、基部１０、スライドレール２０、表示部３０、手動式ウインチ４０を具備する。
【００１９】
基部１０は、スライドレール２０及び表示部３０を支持するものである。基部１０は、平面視略Ｈ字状に形成される基部本体１１と、基部本体１１の下側面に配置されるキャスター１２とを具備する。キャスター１２は、基部本体１１の四隅に配置され、基部本体１１を地面に対して移動自在に構成する。なお、基部１０は、本実施形態においてキャスター１２を具備しているが、これに限定されるものではなく基部１０を地面に設置可能なものであればよい。
【００２０】
スライドレール２０は、表示装置１の支柱として表示部３０を支持するものである。スライドレール２０は、対向するようにして基部１０上面の左方と右方との両側において前後方向略中央にそれぞれ立設される。スライドレール２０は、第一レール２１、フリーボールベアリング２２、第二レール２３から構成される。スライドレール２０は、第一レール２１が基部１０上面に立設され、フリーボールベアリング２２を介して、第二レール２３が第一レール２１に移動自在に支持される。左方の第一レール２１と右方の第一レール２１とは、後側部２１ｒの上端部を第一上梁部材２１ａによって連結され、後側部２１ｒの上下途中部を第一下梁部材２１ｂによって連結される。左方の第二レール２３と右方の第二レール２３とは、対向する面の上側端部を第二上梁部材２３ａで連結され、対向する面の下端部を第二下梁部材２３ｂで連結される。これにより、左方と右方との第二レール２３は、一体的に移動可能に構成される。
【００２１】
表示部３０は、伝達すべき情報を表示するものである。表示部３０は、箱状に形成され、表示面に配置される電光掲示板３１によって情報が表示可能に構成される。表示部３０は、表示面を前方向にむけて左方と右方との第二レール２３、及び第二上梁部材２３ａに図示しないブラケットを介して固定される。これにより、表示部３０は、第二レール２３を介して第一レール２１に上下移動自在に構成される。なお、表示部３０の表示面には、本実施形態において電光表示板が配置されているが、これに限定されるものではなく情報を表示するものであればよい。
【００２２】
図２に示すように、手動式ウインチ４０は、巻き取りハンドル４１でワイヤー４２を巻き取ることでワイヤー４２に接続される重量物を移動させるものである。手動式ウインチ４０は、第一下梁部材２１ｂに固定される。そして、手動式ウインチ４０は、ワイヤー４２によって第一上梁部材２１ａに回転自在に配置される滑車４３を介して、第二下梁部材２３ｂと連結される。これにより、手動式ウインチ４０は、巻き取りハンドル４１の回動操作によりワイヤー４２を巻き取りまたは巻き戻すことで、第二レール２３を上下方向に移動可能に構成される。手動式ウインチ４０は、ラチェット機構が内蔵されており、任意の巻き取り位置で固定可能に構成される。すなわち、手動式ウインチ４０は、第二レール２３に固定される表示部３０を昇降自在に構成する。なお、本実施形態において、表示部３０を昇降させる手段は手動ウインチ４０に限るものではなく、伝動モータや油圧機器等のアクチュエータによる昇降機構としてもよい。
【００２３】
次に、図３から図５を用いてスライドレール２０について具体的に説明する。
【００２４】
図３に示すように、第一レール２１は、断面視で略Ｕ字状に折り曲げて形成される柱状部材である。第一レール２１は、本体部と、当該本体部に連続して対向する前側部２１ｆと後側部２１ｒと、を有する。第一レール２１・２１は、開放部分が対向するように基部１０上面の左方と右方との両側において前後方向略中央にそれぞれ立設される。第一レール２１は、前述のように、左方の第一レール２１と右方の第一レール２１との後側部２１ｒの上端部を第一上梁部材２１ａによって連結され、後側部２１ｒの途中部を第一下梁部材２１ｂによって連結される。第一レール２１は、前側部２１ｆと後側部２１ｒとに、複数のフリーボールベアリング用孔２１ｃが対向するようにしてそれぞれ形成される。
【００２５】
フリーボールベアリング２２は、ボール２２ａを転動自在に保持するものである。フリーボールベアリング２２は、ボール２２ａの一方の略半球部分を転動自在に保持し、他方の略半球部分が露出するように構成される保持器２２ｂを結有する。保持器２２ｂには、第一レール２１のフリーボールベアリング用孔２１ｃよりも大きい外径のフランジ２２ｃが形成される。
【００２６】
複数のフリーボールベアリング２２は、ボール２２ａの保持器２２ｂから露出している部分を後方に向けて第一レール２１の前側部２１ｆに形成される複数のフリーボールベアリング用孔２１ｃに後方（対向する前側部２１ｆと後側部２１ｒとの内側）からそれぞれ挿入される。また、複数のフリーボールベアリング２２は、ボール２２ａの保持器２２ｂから露出している部分を前方に向けて第一レール２１の後側部２１ｒに形成される複数のフリーボールベアリング用孔２１ｃに前方（対向する前側部２１ｆと後側部２１ｒとの内側）からそれぞれ挿入される。つまり、前側部２１ｆの複数のフリーボールベアリング２２と後側部２１ｒの複数のフリーボールベアリング２２とは、ボール２２ａの保持器２２ｂから露出している部分が対向するようにして第一レール２１の内側にそれぞれ配置される。フリーボールベアリング２２は、フランジ２２ｃが前側部２１ｆまたは後側部２１ｒに当接された状態で、ネジ２２ｄによって前側部２１ｆまたは後側部２１ｒに固定される。なお、複数のフリーボールベアリング２２は、本実施形態において前側部２１ｆ、後側部２１ｒにそれぞれ２個配置されているが、これに限定されるものではなく複数個であればよい。
【００２７】
図４に示すように、第二レール２３は、断面視で略Ｕ字状に折り曲げて形成される柱状部材である。第二レール２３は、本体部と当該本体部に連続する前側部２３ｆと後側部２３ｒとを有する。第二レール２３は、第一レール２１の前側部２１ｆと後側部２１ｒとの間に配置される。この際、第二レール２３の開放部分と第一レール２１の本体部とが対向し、前側部２３ｆと第一レール２１の前側部２１ｆとが対向するように配置される。つまり、前側部２３ｆ及び後側部２３ｒは、フリーボールベアリング２２に対向するように配置される。前側部２３ｆ及び後側部２３ｒには、フリーボールベアリング２２と対向する位置に断面視略Ｖ字状の凹みからなる案内溝２３ｃが上下方向にそれぞれ延設される。
【００２８】
図５に示すように、第二レール２３は、第一レール２１に上下方向（図４黒矢印方向）から挿入される。これにより、第一レール２１の前側部２１ｆに固定されるフリーボールベアリング２２のボール２２ａが前側部２３ｆの案内溝２３ｃに係合される。合わせて、第一レール２１の後側部２１ｆに固定されるフリーボールベアリング２２のボール２２ａが後側部２３ｒの案内溝２３ｃに係合される。つまり、第二レール２３は、案内溝２３ｃの断面視略Ｖ字状に形成される斜面の間にボール２２ａの転動面がそれぞれ当接される。従って、第二レール２３は、左方の第一レール２１と右方の第一レール２１にフリーボールベアリング２２を介して移動方向である上下方向のみに昇降自在に支持される。第二レール２３は、前述のように、左方の第二レール２３と右方の第二レール２３との本体部の上端部を第二上梁部材２３ａで連結され、本体部の下端部を第二下梁部材２３ｂで連結される。なお、複数のフリーボールベアリング２２は、本実施形態において第一レールに固定されているが、これに限定されるものではなく第二レールに固定される構成でもよい。
【００２９】
ここで、図６を用いて、第二レール２３の別実施形態である第二レール３３について説明する。
【００３０】
第二レール３３は、第一レール２３に比べて案内溝の形状が異なる。第二レール３３は、断面視で略Ｕ字状に折り曲げて形成される柱状部材である。第二レール３３は、本体部と当該本体部に連続する前側部３３ｆと後側部３３ｒとを有する。第二レール３３は、第一レール２１の前側部２１ｆと後側部２１ｒとの間に配置される。この際、第二レール３３の開放部分と第一レール２１の本体部とが対向し、前側部３３ｆと第一レール２１の前側部２１ｆとが対向するように配置される。つまり、前側部３３ｆ及び後側部３３ｒは、フリーボールベアリング２２に対向するように配置される。前側部３３ｆ及び後端部３３ｒには、フリーボールベアリング２２と対向する位置に断面視半円状の凹みからなる案内溝３３ｃが上下方向に延設される。
【００３１】
次に、図７を用いて表示装置１の昇降操作の態様について説明する。
【００３２】
図７に示すように、表示装置１は、手動式ウインチ４０の巻き取りハンドル４１を操作することで（黒矢印参照）、第二上梁部材２３ａと第二下梁部材２３ｂとによって一体的に構成される左方と右方との第二レール２３が上方向または下方向に移動される。この際、第二レール２３は、案内溝２３ｃに係合されるフリーボールベアリング２２によって第一レール２１と接触することなく、第一レール２１に沿って円滑に上下方向に移動される。従って、第二レール２３に固定される表示部３０は、手動ウインチの操作によって昇降される（白矢印参照）。
【００３３】
以下に、図８及び図９を用いて、スライドレール２０の調整の態様について説明する。
【００３４】
図８（ａ）に示すように、複数のフリーボールベアリング２２のうち、一のフリーボールベアリング２２のボール２２ａと第二レール２３の案内溝２３ｃとの間に隙間Ｄが生じている場合、図８（ｂ）に示すように、当該フリーボールベアリング２２のフランジ２２ｃと当該フリーボールベアリング２２が固定されている第一レール２１の前側部２１ｆまたは後側部２１ｒ（本実施形態においては前側部２１ｆ）との間にシム５１を挿入し、フリーボールベアリング２２の前側部２１ｆまたは後側部２１ｒに垂直な方向の固定位置を調整する。これにより、当該フリーボールベアリング２２のボール２２ａと案内溝２３ｃとの隙間Ｄを無くすことができる。この際、第一レール２１から第二レール２３を取り外すことなく第一レール２１の開放部分からシム５１を挿入することができる。また、複数のフリーボールベアリング２２は、独立して第一レール２１に固定されているので、他のフリーボールベアリング２２のボール２２ａと案内溝２３ｃとの位置関係に影響を与えることがない。
【００３５】
図９（ａ）に示すように、スライドレール２０の剛性を上げるために第二レール２３を与圧する場合、図９（ｂ）に示すように、各フリーボールベアリング２２のフランジ２２ｃと当該フリーボールベアリング２２が固定されている第一レール２１の前側部２１ｆまたは後側部２１ｒとの間に、各フリーボールベアリング２２のボール２２ａと案内溝２３ｃとの位置関係に応じたシム５２・５２を第一レール２１の開放部分から挿入し、フリーボールベアリング２２の前側部２１ｆまたは後側部２１ｒに垂直な方向の固定位置を調整する。これにより、各フリーボールベアリング２２のボール２２ａと案内溝２３ｃとの位置関係にばらつきがあっても、第二レール２３に各フリーボールベアリング２２から略同一の与圧（図９（ｂ）白矢印）を付加することができる。
【００３６】
以上の如く、対向する側部である前側部２１ｆ及び後側部２１ｒを有する第一レール２１と、第一レール２１の前側部２１ｆ及び後側部２１ｒの内側又は外側に向けて固定される複数のフリーボールベアリング２２と、複数のフリーボールベアリング２２に移動自在に支持される第二レール２３と、を具備するものである。
このように構成することで、各フリーボールベアリング２２が第一レール２１に固定されているので、フリーボールベアリング２２と第二レール２３との位置関係（隙間Ｄ）の調整をフリーボールベアリング２２毎に行うことができる。また、一のフリーボールベアリング２２と第二レール２３との位置関係を調整しても他のフリーボールベアリング２２と第二レール２３との位置関係に及ぼす影響が少ない。したがって、組み立て及び調整を容易に行うことができる。
【００３７】
また、複数のフリーボールベアリング２２は、第一レール２１の前側部２１ｆ及び後側部２１ｒに垂直な方向の固定位置をそれぞれ任意に調整可能に構成されるものである。
このように構成することで、フリーボールベアリング２２と第二レール２３との位置関係にばらつきがあっても、フリーボールベアリング２２毎に位置関係を調整することができる。したがって、組み立て及び調整を容易に行うことができる。
【００３８】
また、第二レール２３は、フリーボールベアリング２２と対向する第二レール２３の側部である前側部２３ｆ及び後側部２３ｒに案内溝２３ｃが移動方向に向けて形成され、複数のフリーボールベアリング２２が案内溝２３ｃに係合されるものである。
このように構成することで、第二レール２３に形成される案内溝２３ｃにフリーボールベアリング２２を係合させるだけで第二レール２３が移動方向である上下方向にのみ移動自在に支持される。したがって、組み立て及び調整を容易に行うことができる。
【００３９】
また、第一レール２１又は第二レール２３のうちどちらか一方は、表示装置１の基部１０に立設され、第一レール２１又は第二レール２３のうちどちらか他方は、情報を表示する表示部３０が固設され、表示装置１の表示部３０を移動可能とする支柱を構成するものである。
このように構成することで、表示部３０を支持する支柱をスライドレール２０で構成することで表示部３０を円滑に移動させることができる。したがって、表示装置１の組み立て及び調整を容易に行うことができる。
【符号の説明】
【００４０】
１    表示装置
２０    スライドレール
２１    第一レール
２１ｆ  前側部
２１ｒ  後側部
２２    フリーボールベアリング
２３    第二レール
【図１】
0005140709.tif 000002
【図２】
0005140709.tif 000003
【図３】
0005140709.tif 000004
【図４】
0005140709.tif 000005
【図５】
0005140709.tif 000006
【図６】
0005140709.tif 000007
【図７】
0005140709.tif 000008
【図８】
0005140709.tif 000009
【図９】
0005140709.tif 000010